(57)【特許請求の範囲】
【請求項１】
電子マネーの残高を記憶し、増額指令によって前記記憶した残高を増額し、減額指令によって前記記憶した残高を減額する非接触ＩＣと、
リーダライタからの電波によって発電し、前記非接触ＩＣを駆動するアンテナと、
前記電子マネーの残高を増額させるための代金の決済を所定の決済サーバに行わせる携帯通信端末に、近距離無線で接続する接続手段と、
前記携帯通信端末経由で前記電子マネーの残高を増額する場合に前記非接触ＩＣに電力を供給するバッテリと、
前記近距離無線で接続した携帯通信端末から、前記決済サーバで決済が完了した旨の決済通知を受信する決済通知受信手段と、
前記決済通知を受信した場合に、決済金額に対応する金額分だけ電子マネーの残高を増額する増額指令を前記非接触ＩＣに入力する入力手段と、
を具備したことを特徴とする小型端末。
【請求項２】
前記決済通知には、前記決済金額に対応する金額が含まれており、前記入力手段は、前記金額の分だけ電子マネーの残高を増額する増額指令を前記非接触ＩＣに入力することを特徴とする請求項１に記載の小型端末。
【請求項３】
前記携帯通信端末に本小型端末を認証させるために、前記非接触ＩＣから当該非接触ＩＣが記憶するＩＤ情報を取得して、前記携帯通信端末に送信するＩＤ情報送信手段を具備したことを特徴とする請求項１、又は請求項２に記載の小型端末。
【請求項４】
前記携帯通信端末から、当該携帯通信端末に固有な固有情報を受信して認証する認証手段と、
前記認証手段で認証されなかった場合に、前記携帯通信端末からのアクセスを拒否するアクセス拒否手段と、
を具備したことを特徴とする請求項１、請求項２、又は請求項３に記載の小型端末。
【請求項５】
前記接続手段は、近距離無線としてブルートゥースを使用して前記携帯通信端末に接続する、
ことを特徴とする請求項１から請求項４のうちのいずれか１の請求項に記載の小型端末。
【発明の詳細な説明】
【技術分野】
【０００１】
本発明は、小型端末に関し、例えば、プリペイド式の電子マネーを処理するものに関するものである。
【背景技術】
【０００２】
非接触ＩＣを内蔵した電子マネーカードに予め電子マネーを蓄えておき、これを店頭で減額して買物の決済を行うプリペイド方式の電子マネーが利用されるようになってきた。
非接触ＩＣはアンテナを備えており、店頭に備えたリーダライタと近距離無線通信を行って、電子マネーの残高を増減するようになっている。
店舗に代金を支払い、その代金分の電子マネーを非接触ＩＣに蓄える処理は、チャージと呼ばれている。
【０００３】
近年、ユーザの利便性を高めるため、特許文献１の携帯端末のように、非接触ＩＣを携帯電話に内蔵し、携帯電話に電子マネーを蓄えて店頭で使用する使用形態が利用されるようになってきた。
この場合、非接触ＩＣを店頭のリーダライタに接続しなくとも、携帯電話の有する通信ネットワーク接続機能を用いて電子マネーサーバに接続し、クレジット決済などによって、電子マネーサーバから非接触ＩＣにチャージすることができる。
【０００４】
ところが、電子マネー機能を有する非接触ＩＣを内蔵しない携帯電話も多く存在し、このような携帯電話では、携帯電話を経由したチャージサービスを受けられないという問題があった。
また、一般に、携帯電話から内蔵する非接触ＩＣにチャージする場合、電子マネーサーバに携帯電話とクレジットカードの登録が必要であり、携帯電話を紛失して不正利用されたり、あるいは、当該電話を子供が所有する場合、子供が勝手にチャージしたりする可能性もあった。
【先行技術文献】
【特許文献】
【０００５】
【特許文献１】特開２００８−１８６２９７号公報
【発明の概要】
【発明が解決しようとする課題】
【０００６】
本発明は、非接触ＩＣを内蔵しない携帯端末を用いて非接触ＩＣの電子マネー機能を利用することを目的とする。
【課題を解決するための手段】
【０００７】
請求項１に記載の発明では、電子マネーの残高を記憶し、増額指令によって前記記憶した残高を増額し、減額指令によって前記記憶した残高を減額する非接触ＩＣと、リーダライタからの電波によって発電し、前記非接触ＩＣを駆動するアンテナと、前記電子マネーの残高を増額させるための代金の決済を所定の決済サーバに行わせる携帯通信端末に、近距離無線で接続する接続手段と、前記携帯通信端末経由で前記電子マネーの残高を増額する場合に前記非接触ＩＣに電力を供給するバッテリと、前記近距離無線で接続した携帯通信端末から、前記決済サーバで決済が完了した旨の決済通知を受信する決済通知受信手段と、前記決済通知を受信した場合に、決済金額に対応する金額分だけ電子マネーの残高を増額する増額指令を前記非接触ＩＣに入力する入力手段と、を具備したことを特徴とする小型端末を提供する。
請求項２に記載の発明では、前記決済通知には、前記決済金額に対応する金額が含まれており、前記入力手段は、前記金額の分だけ電子マネーの残高を増額する増額指令を前記非接触ＩＣに入力することを特徴とする請求項１に記載の小型端末を提供する。
請求項３に記載の発明では、前記携帯通信端末に本小型端末を認証させるために、前記非接触ＩＣから当該非接触ＩＣが記憶するＩＤ情報を取得して、前記携帯通信端末に送信するＩＤ情報送信手段を具備したことを特徴とする請求項１、又は請求項２に記載の小型端末を提供する。
請求項４に記載の発明では、前記携帯通信端末から、当該携帯通信端末に固有な固有情報を受信して認証する認証手段と、前記認証手段で認証されなかった場合に、前記携帯通信端末からのアクセスを拒否するアクセス拒否手段と、を具備したことを特徴とする請求項１、請求項２、又は請求項３に記載の小型端末を提供する。
請求項５に記載の発明では、前記接続手段は、近距離無線としてブルートゥースを使用して前記携帯通信端末に接続する、ことを特徴とする請求項１から請求項４のうちのいずれか１の請求項に記載の小型端末を提供する。
【発明の効果】
【０００８】
本発明では、非接触ＩＣを内蔵した小型端末を用いることにより、非接触ＩＣを内蔵しない携帯端末を用いて非接触ＩＣの電子マネー機能を利用することができる。
【図面の簡単な説明】
【０００９】
【図１】本実施の形態に係る電子マネーシステムの構成を示した図である。
【図２】小型端末、携帯電話、電子マネーサーバの機能的な構成を示した図である。
【図３】電子マネーサーバから小型端末にチャージする手順を説明するためのシーケンス図である。
【図４】図３の続きを示したシーケンス図である。
【図５】図４の続きを示したシーケンス図である。
【図６】小型端末を携帯電話に登録する手順を説明するためのシーケンス図である。
【図７】携帯電話が小型端末にチャージする動作をより詳細に説明するためのフローチャートである。
【図８】小型端末がチャージする動作をより詳細に説明するためのフローチャートである。
【図９】携帯電話が小型端末を登録する動作をより詳細に説明するためのフローチャートである。
【図１０】小型端末が携帯電話に登録する動作をより詳細に説明するためのフローチャートである。
【発明を実施するための形態】
【００１０】
（１）実施形態の概要
小型端末２（図２）は、非接触ＩＣと近距離無線部２０３による近距離無線機能を有している。非接触ＩＣは、電子マネーカードに使用されているものと同様であり、電子マネーの残高を記憶し、外部からの指令により当該残高の増減を行う。増減指令には残高を増額させる増額指令と残高を減額させる減額指令がある。近距離無線部２０３は、携帯電話３と無線通信を行うものである。
【００１１】
携帯電話３は、クレジットカード情報と共に電子マネーサーバ４に登録してある。
小型端末２にチャージする場合、携帯電話３を電子マネーサーバ４に接続して、チャージする分の代金をクレジット情報を用いて決済し、その後、携帯電話３は、小型端末２に増額指令を送信し、小型端末２に決済した金額分の電子マネーをチャージさせる。
【００１２】
このように、非接触ＩＣと近距離無線を組み合わせて小型端末２を構成することにより、従来は、携帯電話に非接触ＩＣを内蔵しなければ利用できなかった、携帯電話網を利用したプリペイド決済サービスが、小型端末２を用いることにより、非接触ＩＣを内蔵しない携帯電話３でも利用可能となる。
また、小型端末２と携帯電話３を相互認証するように構成し、携帯電話３を落とすなどして第三者に渡ったとしても、第三者は不正に自己の小型端末２にチャージできないようにする。
【００１３】
（２）実施形態の詳細
図１は、本実施の形態に係る電子マネーシステム１の構成を示した図である。
電子マネーシステム１は、小型端末２、携帯電話３、電子マネーサーバ４、データベース５、基地局６、店舗端末７、店舗サーバ８、ネットワーク９などから構成されている。
【００１４】
携帯電話３は、ネットワーク９に接続する機能を有する携帯型電話機であり、基地局６と接続するための広域無線部３０８（図２）を有するほか、小型端末２と接続するための近距離無線部３０３を有しており、携帯通信端末として機能する。
【００１５】
近距離無線部３０３は、例えば、ブルートゥース（Ｂｌｕｅｔｏｏｔｈ）、赤外線などを用いる。
なお、本実施の形態では、小型端末２と携帯電話３を近距離無線で接続するが、有線で接続することも可能である。
また、本実施の形態では、携帯通信端末の一例として携帯電話３を用いるが、携帯型パーソナルコンピュータなど、他の形態の端末であってもよい。
【００１６】
小型端末２は、電子マネー機能を有する非接触ＩＣ２０２（図２）、携帯電話３と近距離無線を行うための近距離無線部２０３、及び当該機能を駆動するためのバッテリ（ボタン型電池など）などを備えている。
小型端末２は、一般の電子マネーカードと同様に、店舗端末７のリーダライタでチャージや代金の支払を行うことができるほか、携帯電話３と近距離無線で通信し、電子マネーサーバ４からチャージすることができる。
小型端末２の大きさは、電子マネーカードに若干の厚みを持たせた程度である。
【００１７】
基地局６は、携帯電話３と広域無線するための携帯電話基地局であり、携帯電話３とネットワーク９との通信を仲介する。
図示しないが、基地局６は、複数設置されている。基地局６は、セルと呼ばれる固有の通信エリアを有しており、複数の基地局６を設置することにより広範囲な領域を通信エリアとしてカバーしている。
【００１８】
店舗端末７は、店舗に設置された会計装置であり、例えば、ＰＯＳ（Ｐｏｉｎｔ  Ｏｆ  Ｓａｌｅｓ  Ｓｙｓｔｅｍ）レジで構成されている。
店舗端末７は、図示しないリーダライタを備えており、小型端末２をリーダライタに設置した状態で、商品の代金分の電子マネーを小型端末２から減額して支払を完了させたり、あるいは、小型端末２のユーザから代金を受け取って、店舗端末７から小型端末２にチャージすることができる。
【００１９】
店舗サーバ８は、例えば、ＰＯＳサーバで構成されており、店舗での売上を管理するほか、ネットワーク９を介して電子マネーサーバ４に対し、電子マネーの使用履歴を通知したりなどする。
【００２０】
電子マネーサーバ４は、電子マネーカードや小型端末２などの電子マネーの使用履歴を管理し、これを集計する。
また、電子マネーサーバ４は、ネットワーク９経由で非接触ＩＣにチャージをする機能を有しており、これによって非接触ＩＣを内蔵した携帯電話にチャージしたり、携帯電話３を介して小型端末２にチャージすることができる。
電子マネーサーバ４は、クレジットカード用のサーバと通信してチャージの代金を決済する決済サーバとして機能している。
【００２１】
データベース５は、電子マネー機能を有する非接触ＩＣを登録した登録データベースや、電子マネーの使用履歴を記録した履歴データベースなどを有している。
登録データベースでは、携帯電話３の固有情報と、チャージの代金を決済するクレジットカード情報を対応づけて記憶されている。
携帯電話３の固有情報としては、携帯電話３のハードウェアに付与された製品番号や、携帯電話３に装着するＳＩＭカードの番号などを用いることができる。
【００２２】
ネットワーク９は、電子マネーサーバ４、基地局６、店舗サーバ８の通信を仲介する通信ネットワークであり、携帯電話網やインターネットなどから構成されている。
【００２３】
図２は、小型端末２、携帯電話３、電子マネーサーバ４の機能的な構成を示した図である。
小型端末２は、制御部２０１、非接触ＩＣ２０２、近距離無線部２０３、チャージ部２０４、チャージ判定部２０５、固有情報判定部２０６、固有情報記憶部２０７、図示しないがバッテリを備えた電力供給部などから構成されている。
【００２４】
非接触ＩＣ２０２は、電子マネーカードに使用されているものと同様のものであり、固有のＩＤ情報と電子マネー残高などを記憶し、増額指令で電子マネーの残高を増額し、減額指令で電子マネーの残高を減額する。
また、図示しないが、通常の電子マネーカードと同様に、非接触ＩＣ２０２には、店舗端末７のリーダライタと近距離無線するためのアンテナが設置してあり、非接触ＩＣ２０２をリーダライタに設置した場合は、リーダライタからの電波によって当該アンテナが発電して非接触ＩＣ２０２を駆動すると共に、リーダライタからの指令により電子マネーの残高が増減される。
このようにして、小型端末２は、通常の電子マネーカードと同様に使用することができる。
【００２５】
制御部２０１は、小型端末２各部を制御し、非接触ＩＣ２０２からＩＤ情報を読み取って携帯電話３に送信したり、携帯電話３が電子マネーサーバ４で決済すると増額指令を非接触ＩＣ２０２に入力して非接触ＩＣ２０２にチャージを行わせることができる。
近距離無線部２０３は、送信部と受信部を備えており、携帯電話３の近距離無線部３０３と近距離無線による送受信を行うことができる。
【００２６】
チャージ部２０４は、増額指令を非接触ＩＣ２０２に入力し、チャージ判定部２０５は、当該入力によってチャージが成功したか否かを判断する。
増額指令は、電子マネーサーバ４での決済が確認された場合に、チャージ部２０４が増額指令を生成して非接触ＩＣ２０２に入力するように構成してもよいし、あるいは、電子マネーサーバ４が増額指令を生成して携帯電話３を経由して小型端末２に送信し、チャージ部２０４がこれを非接触ＩＣ２０２に入力するように構成してもよい。
【００２７】
前者の場合は、増額指令を小型端末２で生成するため構成が簡単となり、後者の場合は、電子マネーサーバ４がチャージ指令生成機能を有すると共に、電子マネーサーバ４から小型端末２に増額指令を送信する送信路を暗号化するため、セキュリティを高めることができる。
【００２８】
固有情報判定部２０６は、携帯電話３から固有情報を取得して固有情報記憶部２０７に記憶した固有情報と比較し、携帯電話３が予め対応づけられた携帯電話３であるか否かを判断することにより携帯電話３を認証する。
固有情報記憶部２０７は、固有情報判定部２０６で携帯電話３を認証するために、携帯電話３から予め取得した固有情報を記憶している。
【００２９】
非接触ＩＣ２０２は、リーダライタと通信する場合は、リーダライタからの電波により駆動し、携帯電話３からチャージする場合は、小型端末２が備えるバッテリによって駆動する。
また、小型端末２の非接触ＩＣ２０２以外の構成は、小型端末２が備えるバッテリによって駆動する。
【００３０】
なお、バッテリをオンオフするスイッチを設け、携帯電話３経由でチャージする場合にバッテリをオンし、他の期間はバッテリをオフするように構成することができる。
小型端末２を店舗端末７で使用する場合、非接触ＩＣ２０２は、店舗端末７のリーダライタから出力される電波によって発電して駆動するため、小型端末２のバッテリを必要としない。
【００３１】
次に、小型端末２のハードウェア的な構成について説明する。
非接触ＩＣ２０２は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、送受信部、記憶媒体などを備えている。
【００３２】
記憶媒体には、電子マネーの残高、ＩＤ情報、電子マネー処理用のプログラムなどが記憶されており、ＣＰＵが電子マネー処理用のプログラムを実行することにより、電子マネーカードとしての機能が発揮される。
また、ＣＰＵは、送受信部を介してリーダライタと通信したり、制御部２０１からの指令などを受信して応答したりすることができる。
【００３３】
小型端末２は、非接触ＩＣ２０２のほかに、ＣＰＵ、ＲＡＭ、ＲＯＭ、記憶媒体、アンテナなどを備えている。
記憶媒体には、携帯電話３と通信して非接触ＩＣ２０２にチャージする小型端末プログラムが記憶されると共に固有情報記憶部２０７が固有情報を記憶する記憶領域として確保されている。
小型端末２のＣＰＵで小型端末プログラムを実行すると、制御部２０１、近距離無線部２０３、チャージ部２０４、チャージ判定部２０５、固有情報判定部２０６の各機能部がソフトウェア的に構成される。
【００３４】
次に、携帯電話３の構成について説明する。
携帯電話３は、制御部３０１、固有情報記憶部３０２、近距離無線部３０３、チャージ指示部３０４、チャージ判定部３０５、近距離無線アドレス判定部３０６、近距離無線アドレス記憶部３０７、広域無線部３０８、決済部３０９、決済判定部３１０、ＩＤ情報判定部３１１、ＩＤ情報記憶部３１２などを備えている。
【００３５】
制御部３０１は、携帯電話３の各部を制御する。
固有情報記憶部３０２は、携帯電話３に固有な固有情報を記憶している。固有情報には、携帯電話３のハードウェアに付与された製品番号や、携帯電話３に装着するＳＩＭカード（Ｓｕｂｓｃｒｉｂｅｒ  Ｉｄｅｎｔｉｔｙ  Ｍｏｄｕｌｅ  Ｃａｒｄ）の番号などを用いることができる。
【００３６】
近距離無線部３０３は、送受信部を備えており、小型端末２の近距離無線部２０３と近距離無線による送受信を行う。
チャージ指示部３０４は、電子マネーサーバ４でチャージする金額の代金が決済された場合に、小型端末２に対してチャージを指示する。この指示には、チャージする金額が含まれており、小型端末２は、当該金額だけ電子マネーをチャージする。チャージ指示は、電子マネーサーバ４で決済が完了してから送出されるため、決済通知として機能している。
【００３７】
チャージ判定部３０５は、小型端末２でチャージが成功したか否かを確認する。
近距離無線アドレス判定部３０６は、小型端末２と通信に使用している近距離無線アドレスが近距離無線アドレス記憶部３０７に記憶してあるものと同じか判断する。
近距離無線アドレス記憶部３０７は、予め登録した小型端末２の近距離無線アドレスが記憶されている。
【００３８】
広域無線部３０８は、送信部と受信部を備え、基地局６に無線で接続して各種情報の送受信を行う。携帯電話３は、基地局６、及びネットワーク９を介して電子マネーサーバ４と通信することができる。
決済部３０９は、電子マネーサーバ４にチャージ代金の決済を要求し、電子マネーサーバ４にユーザのクレジットカードによって決済させる。
決済判定部３１０は、当該決済が成功したか否かを判断する。
ＩＤ情報判定部３１１は、小型端末２からＩＤ情報を取得してＩＤ情報記憶部３１２に記憶したＩＤ情報と比較し、小型端末２が予め対応づけられた小型端末２であるか否かを判断することにより小型端末２を認証する。
ＩＤ情報記憶部３１２は、ＩＤ情報判定部３１１で小型端末２を認証するために、小型端末２から予め取得したＩＤ情報を記憶している。
【００３９】
携帯電話３は、ＣＰＵ、ＲＯＭ、ＲＡＭ、記憶媒体などを備えており、記憶媒体には、近距離無線アドレス記憶部３０７、ＩＤ情報記憶部３１２、固有情報記憶部３０２が記憶領域として確保されている。また、記憶媒体には、チャージ用プログラムが記憶されており、これを携帯電話３のＣＰＵで実行すると、制御部３０１、近距離無線部３０３、チャージ指示部３０４、チャージ判定部３０５、近距離無線アドレス判定部３０６、近距離無線アドレス記憶部３０７、決済部３０９、決済判定部３１０、ＩＤ情報判定部３１１の各機能部がソフトウェア的に構成される。
【００４０】
次に、電子マネーサーバ４の構成について説明する。
電子マネーサーバ４は、制御部４０１、通信部４０２、固有情報判定部４０３、決済部４０５、決済判定部４０６、口座情報判定部４０７などを備えている。
制御部４０１は、電子マネーサーバ４の各部を制御する。
通信部４０２は、ネットワーク９と接続するインターフェースで、これにより電子マネーサーバ４は、携帯電話３と通信することができる。
【００４１】
固有情報判定部４０３は、携帯電話３から取得した固有情報とデータベース５に予め登録してある非接触ＩＣ２０２の固有情報が同一であるか否かを確認する。
決済部４０５は、図示しないクレジットカード用のサーバと通信し、小型端末２にチャージする金額分の代金をユーザのクレジットカードによって決済する。
決済判定部４０６は、当該決済が成功したか否かを判定する。
口座情報判定部４０７は、データベース５の口座情報記憶部に、小型端末２に対するチャージ用のクレジットカード情報が登録されているか確認する。
【００４２】
データベース５は、固有情報記憶部５０１、口座情報記憶部５０２、図示しないが、非接触ＩＣを登録した登録データベース、電子マネーの使用履歴を記録した履歴データベースなどが格納されている。
固有情報記憶部５０１は、携帯電話３の固有情報を記憶している。
口座情報記憶部５０２は、携帯電話３の固有情報に対応して、携帯電話３のチャージ代金をクレジット決済するためのクレジットカード情報が記憶されている。電子マネーサーバ４は、クレジットカードのサーバで決済する際に、当該クレジットカード情報を使用する。
【００４３】
図３は、電子マネーサーバ４から小型端末２にチャージする手順を説明するためのシーケンス図であり、小型端末２、携帯電話３、電子マネーサーバ４が接続するまでの手順を示している。
まず、ユーザは、携帯電話３でチャージ用プログラムを起動し、チャージする金額やその他必要な情報を入力する。
【００４４】
すると、制御部３０１は、広域無線部３０８を駆動して電子マネーサーバ４に対する接続を指示する（ステップ５）。
広域無線部３０８は、基地局６、ネットワーク９を介して電子マネーサーバ４にアクセスし、電子マネーサーバ４と接続が完了すると、接続完了を制御部３０１に通知する（ステップ１０）。
【００４５】
次に、制御部３０１は、固有情報記憶部３０２から固有情報を読み取って電子マネーサーバ４に送信し、電子マネーサーバ４に登録確認要求を行う（ステップ１５）。
電子マネーサーバ４は、携帯電話３から固有情報を受信すると、固有情報判定部４０３が固有情報記憶部５０１に記憶した固有情報と照合して携帯電話３の登録を確認し、確認が完了した旨を携帯電話３に通知する（ステップ２０）。
【００４６】
次に、制御部３０１は、近距離無線部３０３を駆動して小型端末２に対する接続を指示する（ステップ２５）。
すると、近距離無線部３０３は、近距離無線部２０３にアクセスして接続を要求する（ステップ３０）。
【００４７】
近距離無線部２０３は、この接続要求を受け付け、接続完了を近距離無線部３０３に通知する（ステップ３５）。そして、近距離無線部３０３は、接続完了を制御部３０１に通知する（ステップ４０）。その際に、近距離無線アドレス判定部３０６が、小型端末２の近距離無線アドレスが近距離無線アドレス記憶部３０７に記憶したものと同じであるか確認する。これにより、未登録の小型端末２との通信を防ぐ。
なお、ここでは先に携帯電話３と電子マネーサーバー４との接続をし、その後に小型端末２と携帯電話３とを接続する構成としたが、先に小型端末２と携帯電話３との接続をしてもよい。
【００４８】
図４は、図３の続きのシーケンス図であり、チャージが完了するまでの手順を示している。
携帯電話３が電子マネーサーバ４、及び小型端末２との接続を完了すると、制御部３０１は、小型端末２にＩＤ情報を要求する（ステップ５０）。
【００４９】
制御部２０１は、ＩＤ情報の要求を受けると、携帯電話３に対して固有情報の送信を要求する（ステップ５５）。
なお、ここで、制御部２０１がＩＤ情報を送信しないで固有情報を要求するのは、小型端末２及び携帯電話３間での相互認証を目的としＩＤ情報と固有情報を交換するためである。
【００５０】
制御部３０１は、小型端末２から固有情報の要求を受けると、固有情報記憶部３０２から固有情報を読み取って小型端末２に送信する（ステップ６０）。
制御部２０１は、携帯電話３から固有情報を受信すると、固有情報判定部２０６に当該固有情報が固有情報記憶部２０７に記憶してあるものと同一であるか否かを判定させる。
【００５１】
同一でない場合、制御部２０１は、携帯電話３からのアクセスを拒否する。
同一である場合、制御部２０１は、非接触ＩＣ２０２にＩＤ情報を要求し（ステップ６５）、非接触ＩＣ２０２は、ＩＤ情報を制御部２０１に送信する（ステップ７０）。制御部２０１は、これを携帯電話３に送信する。
制御部３０１がＩＤ情報の要求の際（ステップ５０）に固有情報を付随するように構成した場合、小型端末２はステップ５５、ステップ６０を省略して、ＩＤ情報を送信することができる。
【００５２】
制御部３０１は、小型端末２からＩＤ情報を受信すると、ＩＤ情報判定部３１１に当該ＩＤ情報がＩＤ情報記憶部３１２に記憶してあるものと同一であるか否かを判定させる。
同一でない場合、制御部３０１は、小型端末２からのアクセスを拒否する。
同一である場合、制御部３０１は、決済部３０９で決済要求を生成して広域無線部３０８から電子マネーサーバ４に送信する（ステップ７５）。
決済要求には、チャージする金額（この金額が決済対象となる）が含まれている。また、必要な場合は、小型端末２から取得したＩＤ情報などを含めてもよい。
【００５３】
制御部４０１は、携帯電話３から決済要求を受けると、携帯電話３の固有情報に対して決済用の口座が存在するか、即ち、固有情報に対応づけられたクレジットカード情報が存在するか口座情報判定部４０７に確認させる。
なお、口座情報記憶部５０２において、固有情報、ＩＤ情報、クレジットカード情報を対応づけ、携帯電話３から固有情報、ＩＤ情報を送信させて、固有情報とＩＤ情報の組に対応するクレジットカード情報が存在するか否かを確認するように構成することもできる。
口座情報判定部４０７は、口座情報記憶部５０２にこれらの情報が存在するが確認する。
これらの情報が存在する場合、制御部４０１は、決済部４０５に決済金額（チャージする金額）とクレジット情報をクレジットカード用のサーバに送信させて決済を行う。
【００５４】
次に、制御部４０１は、決済判定部４０６で決済が完了したことを確認すると、決済が完了した旨の決済完了を携帯電話３に通知する（ステップ８０）。
なお、電子マネーサーバ４が増額指令を生成する形態の場合、制御部４０１は、決済金額分の電子マネーを増額する増額指令を生成して携帯電話３に送信することにより、決済完了を通知する。
【００５５】
制御部３０１は、電子マネーサーバ４から決済完了の通知を受けると、チャージ指示部３０４によって小型端末２にチャージを指示する（ステップ８５）。
なお、電子マネーサーバ４で増額指令を生成する形態の場合、携帯電話３は、電子マネーサーバ４から受信した増額指令を小型端末２に送信することによりチャージを指示する。
【００５６】
制御部２０１は、携帯電話３からチャージ指示を受信すると、チャージ部２０４が増額指令を生成して非接触ＩＣ２０２に入力し、非接触ＩＣ２０２にチャージさせる。
なお、電子マネーサーバ４が増額指令を生成する形態では、制御部２０１は、チャージ指示として増額指令を受信し、チャージ部２０４が当該増額指令を非接触ＩＣ２０２に入力して非接触ＩＣ２０２にチャージさせる。
制御部２０１は、チャージ判定部２０５にチャージが完了したか否かを確認させ、チャージが完了した場合（ステップ９０）、その旨を携帯電話３に通知する。
【００５７】
図５は、図４の続きのシーケンス図であり、携帯電話３が小型端末２、電子マネーサーバ４との回線を切断するまでの動作を示している。
小型端末２でチャージが完了すると、制御部３０１は、近距離無線部３０３に回線の切断を指示し（ステップ１０５）、近距離無線部３０３は、近距離無線部２０３に回線の切断を要求する（ステップ１１０）。
そして、近距離無線部２０３が回線の切断を完了すると（ステップ１１５）、近距離無線部３０３は、制御部３０１に回線の切断を通知する（ステップ１２０）。
【００５８】
次に、制御部３０１は、広域無線部３０８に電子マネーサーバ４との回線を切断するように指示し（ステップ１２５）、広域無線部３０８は、切断が完了すると、その旨を制御部３０１に通知する（ステップ１３０）。
なお、ここでは先に小型端末２と携帯電話３との接続を切断し、その後に携帯電話３と電子マネーサーバー４との接続を切断する構成としたが、先に携帯電話３と電子マネーサーバー４との接続を切断しても良い。
【００５９】
図６は、小型端末２を携帯電話３に登録する手順を説明するためのシーケンス図である。
携帯電話３は、記憶媒体に登録用プログラムを記憶しており、ユーザは、これを起動する。
すると、制御部３０１は、近距離無線部３０３に接続指示し（ステップ２０５）、近距離無線部３０３は、小型端末２に接続する（ステップ２１０）。
近距離無線部２０３は、これを受けて接続すると接続完了を近距離無線部３０３に通知し（ステップ２１５）、近距離無線部３０３は、制御部３０１に接続完了を通知する（ステップ２２０）。
【００６０】
次に、制御部３０１は、小型端末２に対してＩＤ情報を要求する（ステップ２２５）。
制御部２０１は、当該要求を受けると、非接触ＩＣ２０２からＩＤ情報を読み出して携帯電話３に送信する（ステップ２３０）。制御部２０１は、当該ＩＤ情報を受信すると、ＩＤ情報記憶部３１２に記憶する。
【００６１】
次に、制御部２０１は、固有情報記憶部３０２から固有情報を読み取り、これを小型端末２に送信して固有情報の書込要求を行う（ステップ２３５）。
制御部２０１は、固有情報を受信すると、これを固有情報記憶部２０７に記憶し、固有情報の書き込みが完了した旨を携帯電話３に通知する（ステップ２４０）。
【００６２】
制御部３０１は、当該通知を受信すると、近距離無線部３０３に切断を指示し（ステップ２４５）、近距離無線部３０３は、小型端末２に切断を要求する（ステップ２５０）。
近距離無線部２０３は、当該要求を受けると、切断処理をして携帯電話３に切断完了を通知し（ステップ２５５）、近距離無線部３０３は、切断完了を制御部３０１に通知する。
以上のようにして、携帯電話３は、小型端末２のＩＤ情報を記憶し、小型端末２は、携帯電話３の固有情報を記憶し、以後、相互認証を行えるようになる。
【００６３】
図７は、携帯電話３が小型端末２にチャージする動作をより詳細に説明するためのフローチャートである。
以下の処理は、携帯電話３が有するＣＰＵがチャージ用プログラムに従って行うものである。
携帯電話３は、広域無線接続処理を行って電子マネーサーバ４に接続する（ステップ３１０）。
接続が確認できなかった場合（ステップ３１０；Ｎ）、携帯電話３は、処理を終了する。
【００６４】
接続が確認できた場合、携帯電話３は、電子マネーサーバ４に対して自機の登録を確認する（ステップ３２０）。
登録が確認できなかった場合（ステップ３２０；Ｎ）、携帯電話３は、ステップ３７５に移行し、電子マネーサーバ４との回線を切断して処理を終了する。
登録が確認できた場合（ステップ３２０；Ｙ）、携帯電話３は、近距離無線接続処理を行って小型端末２に接続を試みる（ステップ３２５）。
【００６５】
小型端末２との接続が確認できなかった場合（ステップ３３０；Ｎ）、携帯電話３は、ステップ３７５に移行し、電子マネーサーバ４との回線を切断して処理を終了する。
小型端末２との接続が確認できた場合（ステップ３３０；Ｙ）、携帯電話３は、ＩＤ情報取得処理を開始し、小型端末２にＩＤ情報の送信を要求する（ステップ３３５）。
ＩＤ情報の送信を要求に対した後、携帯電話３は、小型端末２から固有情報の要求を受信する（ステップ３３７）。
これに対し、携帯電話３は、固有情報送信処理を行って、小型端末２に固有情報を送信する（ステップ３３９）。
【００６６】
小型端末２に固有情報を送信した後、携帯電話３は、小型端末２から送信されてくるＩＤ情報を受信し、当該ＩＤ情報が登録済みの小型端末２ものであるか確認を行う（ステップ３４０）。
ＩＤ情報の確認ができなかった場合（ステップ３４５；Ｎ）、携帯電話３は、小型端末２との近距離無線切断処理を行う（ステップ３７０）。
一方、ＩＤ情報が確認できた場合（ステップ３４５；Ｙ）、携帯電話３は、電子マネーサーバ４に対して増額指令でチャージする分の代金の決済処理を要求する（ステップ３５０）。
【００６７】
次に、携帯電話３は、決済処理が完了したか確認し、決済完了が確認できなかった場合（ステップ３５５；Ｎ）、携帯電話３は、小型端末２との近距離無線切断処理を行う（ステップ３７０）。
一方、決済が確認できた場合（ステップ３５５；Ｙ）、携帯電話３は、小型端末２に対してチャージ処理を行わせる（ステップ３６０）。
【００６８】
次に、携帯電話３は、小型端末２でチャージが完了したことを確認し（ステップ３６５、小型端末２との近距離無線切断処理を行う（ステップ３７０）。
更に、携帯電話３は、電子マネーサーバ４との遠距離無線切断処理を行って（ステップ３７５）、処理を終了する。
【００６９】
図８は、小型端末２がチャージする動作をより詳細に説明するためのフローチャートである。
以下の処理は、小型端末２が有するＣＰＵが小型端末プログラムに従って行うものである。
まず、小型端末２は、近距離無線接続処理を行って携帯電話３と接続する（ステップ５０５）。
接続が確認できなかった場合（ステップ５１０；Ｎ）、小型端末２は、処理を終了する。
【００７０】
接続が確認できた場合（ステップ５１０；Ｙ）、小型端末２は、携帯電話３から固有情報を取得する（ステップ５１５）。
次に、小型端末２は、取得した固有情報が登録済みの携帯電話３のものであるか確認を行う（ステップ５２０）。
固有情報が確認できなかった場合（ステップ５２０；Ｎ）、小型端末２は、ステップ５３０に移行する。
【００７１】
固有情報が確認できた場合（ステップ５２０；Ｙ）、小型端末２は、非接触ＩＣ２０２からＩＤ情報を読み出して携帯電話３に送信する（ステップ５２５）。
次に、小型端末２は、携帯電話３からの増額指令によってチャージ処理を行い（ステップ５３０）、携帯電話３がチャージ処理の完了を確認した後、近距離無線切断処理を行って（ステップ５３５）、処理を終了する。
【００７２】
なお、図示しないが、小型端末２が携帯電話３の固有情報を確認できず、携帯電話３にＩＤ情報を送信しなかった場合（ステップ５２０；Ｎ）、小型端末２は、チャージ処理を行わずに近距離無線切断処理（ステップ５３５）を行う。
【００７３】
図９は、携帯電話３が小型端末２を登録する動作をより詳細に説明するためのフローチャートである。
以下の処理は、携帯電話３のＣＰＵが登録用プログラムを実行することにより行われる。
まず、携帯電話３は、近距離無線接続処理を行い（ステップ４０５）、小型端末２と回線を接続する。
小型端末２との接続が確認できなかった場合（ステップ４１０；Ｎ）、携帯電話３は、処理を終了する。
【００７４】
一方、小型端末２との接続が確認できた場合（ステップ４１０；Ｙ）、携帯電話３は、ＩＤ情報取得処理を行い、小型端末２からＩＤ情報を取得する（ステップ４２０）。
次に、携帯電話３は、取得したＩＤ情報を記憶する（ステップ４２５）。
次に、携帯電話３は、小型端末２に固有情報を送信して、小型端末２に固有情報書込処理を行わせる（ステップ４３０）。
【００７５】
固有情報書込処理が失敗した場合（ステップ４３５；Ｎ）、携帯電話３は、記憶したＩＤ情報を消去し（ステップ４４０）、小型端末２との近距離無線を切断して（ステップ４４５）、処理を終了する。
一方、固有情報書込処理が成功した場合（ステップ４３５；Ｙ）、携帯電話３は、小型端末２との近距離無線を切断して（ステップ４４５）、処理を終了する。
【００７６】
図１０は、小型端末２が携帯電話３に登録する動作をより詳細に説明するためのフローチャートである。
まず、小型端末２は、近距離無線接続処理を行い（ステップ６０５）、携帯電話３と回線を接続する。
接続が確認できなかった場合（ステップ６１０；Ｎ）、小型端末２は、処理を終了する。
接続が確認できた場合（ステップ６１０；Ｙ）、小型端末２は、非接触ＩＣ２０２からＩＤ情報を読み出して携帯電話３に送信する（ステップ６１５）。
【００７７】
次に、小型端末２は、固有情報書込処理を行って、携帯電話３が送信してきた固有情報を固有情報記憶部２０７に書き込む（ステップ６２０）。
書込処理が完了した場合（ステップ６２５；Ｙ）、固有情報書込完了通知処理により携帯電話３に固有情報の書込が完了した旨を通知して（ステップ６３０）、近距離無線切断処理を行う（ステップ６３５）。
携帯電話３から固有情報が取得できないなどのために、書込処理が失敗した場合（ステップ６２５；Ｎ）、小型端末２は、近距離無線切断処理を行う（ステップ６３５）。
【００７８】
以上に説明した実施の形態では、全て小型端末２へ電子マネーを加算する（チャージする）場合として説明したが、小型端末から電子マネーを減算することも同様に可能である。
また、決済方法としてクレジットカードで決済する構成で説明したが、電子マネーサーバ４から、直接ユーザの指定する銀行口座で決済を行うように構成してもよい。
【００７９】
以上に説明した実施の形態により、次のような効果を得ることができる。
（１）非接触ＩＣ２０２と近距離無線部２０３を組み合わせた小型端末２を提供することができる。
（２）小型端末２を用いることにより、非接触ＩＣを内蔵しない携帯電話３によって、携帯電話網を利用した電子マネーのプリペイド決済サービスを利用することが可能となる。
（３）小型端末２には、クレジットカードで決済するために必要な情報が記憶されていないため、小型端末２を紛失した場合に被害を最小限に食い止めることができる。
（４）小型端末２と携帯電話３は、相互認証するため、携帯電話３を紛失したとしても携帯電話３から他の小型端末２にチャージされることがない。
（５）小型端末２にチャージして子供に持たせることにより、子供が勝手にチャージするのを防ぐことができる。
【００８０】
小型端末２は、電子マネーの残高を記憶し、増額指令によって前記記憶した残高を増額し、減額指令によって前記記憶した残高を減額する非接触ＩＣ２０２を備えている。
また、近距離無線部２０３は、電子マネーの残高を増額させるための代金の決済を所定の決済サーバ（電子マネーサーバ４）に行わせる携帯通信端末（携帯電話３）に接続する接続手段として機能している。
また、携帯電話３が小型端末２に指示するチャージ指示は、電子マネーサーバ４での決済が完了したことを意味しているため決済通知として機能しており、小型端末２は、前記接続した携帯通信端末から、前記決済サーバで決済が完了した旨の決済通知を受信する決済通知受信手段を備えている。
また、小型端末２は、携帯電話３からチャージ指示（決済通知）を受信した場合に増額指令を非接触ＩＣ２０２に入力してチャージを実行するため、前記決済通知を受信した場合に、決済金額に対応する金額分だけ電子マネーの残高を増額する増額指令を前記非接触ＩＣに入力する入力手段を備えている。
よって、小型端末２は、これらの手段を具備したことを特徴とする小型端末として機能している。
【００８１】
チャージ指示には、決済した金額がチャージする金額として含まれているため、前記決済通知には、前記決済金額に対応する金額が含まれており、前記入力手段は、前記金額の分だけ電子マネーの残高を増額する増額指令を前記非接触ＩＣに入力している。
【００８２】
また、小型端末２は、携帯電話３が小型端末２を認証するために、非接触ＩＣ２０２からＩＤ情報を読み取って携帯電話３に送信するため、前記非接触ＩＣから当該非接触ＩＣが記憶するＩＤ情報を取得して、前記携帯通信端末に送信するＩＤ情報送信手段を備えている。
【００８３】
また、小型端末２は、予め携帯電話３の固有情報を記憶しており、接続先の携帯電話３から固有情報を取得して認証し、認証に失敗した場合は、携帯電話３からのアクセスを拒否するため、前記携帯通信端末から、当該携帯通信端末に固有な固有情報を受信して認証する認証手段と、前記認証手段で認証されなかった場合に、前記携帯通信端末からのアクセスを拒否するアクセス拒否手段を備えている。
【００８４】
携帯電話３は、電子マネーサーバ４、及び小型端末２と接続するため、電子マネーの残高を増額させるための代金を決済する決済サーバ（電子マネーサーバ４）に接続するサーバ接続手段と、電子マネーの残高を記憶し、増額指令によって前記記憶した残高を増額し、減額指令によって前記記憶した残高を減額する非接触ＩＣを備えた小型端末（小型端末２）と接続する端末接続手段を備えている。
また、携帯電話３は、電子マネーサーバ４に対して非接触ＩＣ２０２にチャージする代金の決済を要求するため、前記接続する非接触ＩＣの電子マネー残高を増額させるための代金の決済を、前記接続する決済サーバに要求する決済要求手段を備えている。
また、携帯電話３は、電子マネーサーバ４から決済完了の通知を受けると小型端末２にチャージ指示（決済通知）を行うため、携帯電話３は、前記要求に対して前記決済サーバから決済が完了した旨の通知を受けた場合に決済通知を前記接続する小型端末に送信する決済通知送信手段を備えている。
【００８５】
また、携帯電話３は、ユーザから入力を受け付けるなどしてチャージする金額を取得して、その金額分の決済を電子マネーサーバ４に要求するため、電子マネーの残高を増額する金額を取得する金額取得手段を具備し、前記決済要求手段は、前記取得した金額分の代金の決済を要求している。
また、携帯電話３は、入力を受け付けるなどした金額を電子マネーサーバ４で決済した上、小型端末２にチャージする金額として指定するため、前記決済通知手段は、前記取得した金額を前記決済通知に含めて前記小型端末に送信している。
【００８６】
また、携帯電話３は、相互認証のために、自己の固有情報を読み取って小型端末２に送信するため、自機に固有の固有情報を取得して前記小型端末に送信する固有情報送信手段を備えている。
【００８７】
また、携帯電話３は、小型端末２が内蔵する非接触ＩＣ２０２のＩＤ情報を予め記憶しておき、小型端末２と通信する際に小型端末２からＩＤ情報を取得して小型端末２を認証し、認証に失敗した場合は、小型端末２からのアクセスを拒否するため、前記小型端末から、非接触ＩＣの記憶するＩＤ情報を受信して認証する認証手段と、前記認証手段で認証されなかった場合に、前記小型端末からのアクセスを拒否するアクセス拒否手段を備えている。
なお、本実施形態では、携帯通信端末を次のように構成することも可能である。
（１）構成１
電子マネーの残高を増額させるための代金を決済する決済サーバに接続するサーバ接続手段と、
電子マネーの残高を記憶し、増額指令によって前記記憶した残高を増額し、減額指令によって前記記憶した残高を減額する非接触ＩＣを備えた小型端末と接続する端末接続手段と、
前記接続する非接触ＩＣの電子マネー残高を増額させるための代金の決済を、前記接続する決済サーバに要求する決済要求手段と、
前記要求に対して前記決済サーバから決済が完了した旨の通知を受けた場合に決済通知を前記接続する小型端末に送信する決済通知送信手段と、
を具備したことを特徴とする携帯通信端末。
（２）構成２
電子マネーの残高を増額する金額を取得する金額取得手段を具備し、
前記決済要求手段は、前記取得した金額分の代金の決済を要求し、
前記決済通知送信手段は、前記取得した金額を前記決済通知に含めて前記小型端末に送信することを特徴とする構成１に記載の携帯通信端末。
（３）構成３
前記小型端末に本携帯通信端末を認証させるために、本携帯通信端末（自機）に固有の固有情報を取得して前記小型端末に送信する固有情報送信手段を具備したことを特徴とする構成１、又は構成２に記載の携帯通信端末。
（４）構成４
前記小型端末から、非接触ＩＣの記憶するＩＤ情報を受信して認証する認証手段と、
前記認証手段で認証されなかった場合に、前記小型端末からのアクセスを拒否するアクセス拒否手段と、
を具備したことを特徴とする構成１、構成２、又は構成３に記載の携帯通信端末。
【符号の説明】
【００８８】
１  電子マネーシステム
２  小型端末
３  携帯電話
４  電子マネーサーバ
５  データベース
６  基地局
７  店舗端末
８  店舗サーバ
９  ネットワーク
２０１  制御部
２０２  非接触ＩＣ
２０３  近距離無線部
２０４  チャージ部
２０５  チャージ判定部
２０６  固有情報判定部
２０７  固有情報記憶部
３０１  制御部
３０２  固有情報記憶部
３０３  近距離無線部
３０４  チャージ指示部
３０５  チャージ判定部
３０６  近距離無線アドレス判定部
３０７  近距離無線アドレス記憶部
３０８  広域無線部
３０９  決済部
３１０  決済判定部
３１１  ＩＤ情報判定部
３１２  ＩＤ情報記憶部
４０１  制御部
４０２  通信部
４０３  固有情報判定部
４０５  決済部
４０６  決済判定部
４０７  口座情報判定部
５０１  固有情報記憶部
５０２  口座情報記憶部
【図１】
0005718626.tif 000002
【図２】
0005718626.tif 000003
【図３】
0005718626.tif 000004
【図４】
0005718626.tif 000005
【図５】
0005718626.tif 000006
【図６】
0005718626.tif 000007
【図７】
0005718626.tif 000008
【図８】
0005718626.tif 000009
【図９】
0005718626.tif 000010
【図１０】
0005718626.tif 000011